(57)【特許請求の範囲】
【請求項１】
コンテンツを再生可能な携帯端末からの信号を受信する受信部と、
動作状態を示すモード情報を表示するモード表示手段と、
前記受信部にて受信された信号に基づいて、前記携帯端末にて再生されるコンテンツの映像の有無を判断する判断部と、
前記判断部によって、前記携帯端末で再生されるコンテンツに映像が無いと判断された場合、前記モード情報と異なる、前記携帯端末が音声コンテンツを再生していることを示す情報を表示する情報表示手段と、を備えることを特徴とするテレビジョン。
【請求項２】
更に、前記携帯端末との間で信号を通信する制御部を有し、
前記制御部が、前記情報表示手段に、前記モード情報と異なる前記携帯端末が音声コンテンツを再生していることを示す情報を表示させる、ことを特徴とする請求項１に記載のテレビジョン。 
【請求項３】
前記制御部は、前記携帯端末に記憶されたコンテンツの内、前記携帯端末で未再生のコンテンツを記憶する記憶領域に記憶されたコンテンツの再生を前記携帯端末に行わせる、ことを特徴とする請求項２に記載のテレビジョン。
【請求項４】
前記制御部は、
放送波を受信して映像及び音声の少なくといずれか一方を出力している場合に、
前記接続されている携帯端末においてコンテンツ再生が行われると、
当該コンテンツを出力するように切換える制御を行う、ことを特徴とする請求項２又は請求項３のいずれかに記載のテレビジョン。
【請求項５】
更に、前記携帯端末との接続を検知する接続検知部を有し、
前記制御部は、前記接続検知部が前記携帯端末との接続を検知した際に、
前記携帯端末に対してコンテンツを再生するコマンドを送信する、ことを特徴とする請求項２から請求項４のいずれか一項に記載のテレビジョン。
【発明の詳細な説明】
【技術分野】
【０００１】
本発明は、再生端末接続機能付きテレビジョンに関するものである。
【背景技術】
【０００２】
現在、音声や映像を再生可能なメディアプレーヤー（再生端末）が普及している。メディアプレーヤーとは特定のコンテンツを再生することが可能なデバイスを意味する。その一例として、例えばＡｐｐｌｅ Ｃｏｍｐｕｔｅｒ社のｉＰＯＤ（商標登録）が広く知られている。メディアプレーヤーは、持ち運び可能な小型の筐体内に特定のメディアファイルを再生することができる機能を備えている。このようなメディアプレーヤーは、外部機器と接続して映像や音声やデータの受け渡しが可能であり、外部の機器と連携した動作を行うことが可能のものもある。また、特許文献１では、音声を再生する際に再生装置内のハードディスクに蓄積された画像を出力する構成が開示されている。特許文献２では、ダウンロードしたファイルに映像情報が含まれない場合に、映像表示装置への給電を停止する構成が開示されている。
【特許文献１】特開２０００−２６８５４３号公報
【特許文献２】特開２００２−１０８３６４号公報
【発明の開示】
【発明が解決しようとする課題】
【０００３】
近年、メディアプレーヤーの処理性能の向上や小型カラーディスプレイの普及にともなって動画も再生可能なメディアプレーヤーも一般化しつつある。従って、メディアプレーヤーが音声のみのメディアファイルを再生している場合と、映像と音声を双方とも含むメディアファイルを再生している場合が想定される。例えば、引用文献１のように音声のみのメディアファイルを再生する場合にも、ハードディスク内の画像を出力して画面を有効に利用する機能を有しているメディアプレーヤーが接続された場合には、再生端末接続機能付きテレビジョンの表示画面とスピーカの双方を有効に利用することができないという問題があった。しかしながら、引用文献２のように音声のみのメディアファイルを再生する場合に、画面への給電を停止するようなメディアプレーヤーが接続された場合には、再生端末接続機能付きテレビジョンの表示画面を有効に利用することができないという問題があった。
本発明は、上記課題にかんがみてなされたもので、表示画面とスピーカを有効に利用できる再生端末接続機能付きテレビジョンを提供することを目的とする。
【課題を解決するための手段】
【０００４】
本発明の一つの態様では、テレビジョン放送を受信するチューナと、上記チューナが生成した映像信号を表示する表示画面と、上記チューナが生成した音声信号を出力するスピーカと、メディアファイルを再生する再生端末と接続する接続端子とを具備する再生端末接続機能付きテレビジョンにおいて、上記接続端子から上記接続端子に入力される映像信号と音声信号を受け付ける信号受付手段と、上記信号受付手段が映像信号と音声信号の双方を受け付けるとき、上記チューナが生成した映像信号と音声信号をそれぞれ上記表示画面と上記スピーカに入力させる通常モードから、上記信号受付手段が受け付けた上記映像信号と上記音声信号を上記表示画面と上記スピーカに入力させる第１再生端末モードに切り換えるとともに、上記信号受付手段が音声信号のみを受け付けるとき、上記通常モードから、上記信号受付手段が受け付けた上記音声信号を上記スピーカに入力させつつ所定のダミー映像を表示させるための映像信号を上記表示画面に入力させる第２再生端末モードに切り換える切換手段とを具備する構成としてある。
【０００５】
このような構成において、再生端末接続機能付きテレビジョンは、少なくとも電源回路と、テレビジョン放送を受信するチューナと、上記チューナが生成した映像信号を表示する表示画面と、上記チューナが生成した音声信号を出力するスピーカと、メディアファイルを再生する再生端末と接続する接続端子とから構成される。信号受付手段は、上記接続端子から上記接続端子に入力される映像信号と音声信号を受け付ける。切換手段は、上記信号受付手段が映像信号と音声信号の双方を受け付けるとき、上記チューナが生成した映像信号と音声信号をそれぞれ上記表示画面と上記スピーカに入力させる通常モードから、上記信号受付手段が受け付けた上記映像信号と上記音声信号を上記表示画面と上記スピーカに入力させる第１再生端末モードに切り換える。さらに、上記切換手段は、上記信号受付手段が音声信号のみを受け付けるときには、上記通常モードから、上記信号受付手段が受け付けた上記音声信号を上記スピーカに入力させつつ所定のダミー映像を表示させるための映像信号を上記表示画面に入力させる第２再生端末モードに切り換える。
【０００６】
また、本発明に基づく別の具体的態様では、上記接続端子に対する上記再生端末の接続を検知する接続検知手段を具備するとともに、上記切換手段は、上記接続端子に対する上記再生端末の接続を検知したときに、上記第１再生端末モードまたは上記第２再生端末モードへの切換を行う構成としてある。
このような構成において、接続検知手段は、上記接続端子に対する上記再生端末の接続を検知する。そして、上記切換手段は、上記接続端子に対する上記再生端末の接続を検知したときに、上記第１再生端末モードまたは上記第２再生端末モードへの切換を行う。
【０００７】
さらに、本発明に基づく具体的態様では、静止画像を示す複数の画像ファイルを記憶する記憶手段を備えるとともに、上記ダミー映像は、上記画像ファイルを順に表示させるスライドショー映像である構成としてある。
このような構成において、記憶手段は、静止画像を示す複数の画像ファイルを記憶する。そして、上記切換手段は、上記ダミー映像として、上記画像ファイルを順に表示させるスライドショー映像を出力する。
【０００８】
また、本発明に基づく別の具体的態様では、上記ダミー映像は、スクリーンセーバーである構成としてある。
さらに、本発明に基づく具体的態様では、上記切換手段は、上記第２再生端末モードにおいて上記ダミー映像を上記表示画面に出力させた後、上記表示画面のためのバックライトを消灯する構成としてある。
このような構成において、上記第２再生端末モードにおいて上記ダミー映像を上記表示画面に出力させた後、上記切換手段は上記表示画面のためのバックライトを消灯させる。
【発明の効果】
【０００９】
本発明によれば、表示画面とスピーカを有効に利用できる再生端末接続機能付きテレビジョンを提供することができる。
また、本発明の一具体的態様によれば、接続時に特別な操作を必要とすることなく、再生端末からの音声や映像を再生端末接続機能付きテレビジョンにて出力するように切り替えることができる。
【発明を実施するための最良の形態】
【００１０】
以下、下記の順序に従って本発明の実施形態を説明する。
（１）メディアプレーヤー接続機能付きテレビジョンの構成：
（２）メディアプレーヤー接続時の処理：
（３）メディアプレーヤー接続後の処理：
（４）メディアプレーヤー接続解除時の処理：
（５）各種変形例：
（５−１）ダミー映像の変形例：
（５−２）省電力動作：
（５−３）充電に関する変形例：
（５−４）操作マクロに関する変形例：
（５−５）接続に関する変形例：
【００１１】
（１）メディアプレーヤー接続機能付きテレビジョンの構成
図１は、本発明の一実施形態にかかるメディアプレーヤー接続機能付きテレビジョン（以下、単にテレビジョンと表記するものとする。）の概略構成を示している。同図において、テレビジョン１０は、マイコン１１とチューナ１２と映像処理回路１３と音声処理回路１４と入力端子１５と液晶モジュール１６とドッキングユニット１７とリモコン受光部１８とバス１９とスピーカ２０と電源回路２１とスイッチ回路２２（切換手段）と外部入力端子２３から構成されている。バス１９によって各構成部分１１〜１８が接続されており、これらの間でデータの授受が双方向に可能となっている。また、各構成部分１１〜２０は電源回路２１と接続されており、当該電源回路２１から電源の供給を受けている。なお、電源回路２１は、マイコン１１のタイマなどを最低限機能させるためのスタンバイ電源と、通常のメイン電源を供給することができる。マイコン１１は、ＣＰＵ１１ａとＲＡＭ１１ｂとＲＯＭ１１ｃとから構成されており、ＲＯＭ１１ｃに記憶されたプログラムに基づいてＣＰＵ１１ａが後述する処理を実行するための演算を行う。その際に、プログラムの実行に必要なデータやパラメータがＲＡＭ１１ｂに展開される。
【００１２】
チューナ１２にはアンテナ端子１２ａが備えられており、アンテナ端子１２ａを介して入力された信号から所望の放送チャンネルに対応する周波数のデジタルテレビジョン放送信号を抽出する。チューナ１２は、デジタルテレビジョン放送信号に対して検波や多重化解除やスクランブル解除や圧縮解除などの処理を行い、映像信号と音声信号を生成する。そして、チューナ１２が生成した映像信号はスイッチ回路２２を介して映像処理回路１３に出力され、音声信号はスイッチ回路２２を介して音声処理回路１４に対して出力される。なお、チューナ１２が同調するための周波数情報や多重化情報はＲＯＭ１１ｃに記憶されたチャンネルマップＣＭから取得される。また、チャンネルマップＣＭはユーザーの意図や放送状態によって更新する必要がありため、ＲＯＭ１１ｃとして書き換え可能な媒体が採用されている。スイッチ回路２２は例えばＳ端子やＤ１端子等の外部入力端子２３と接続されており、当該外部入力端子２３から入力された映像／音声信号を映像処理回路１３と音声処理回路１４に出力するように切り換えることができる。
【００１３】
映像処理回路１３は、チューナ１２や外部入力端子２３から入力された映像信号に対して例えば明るさやコントラスト等の画質調整やサイズ調整等を行う。また、マイコン１１から出力されたＯＳＤ(On Screen Display)信号をチューナ１２から入力された映像信号と合成したり、差し替えたりする処理を行う。一方、音声処理回路１４に出力された音声信号は、音声処理回路１４によって音量等が調整される。映像処理回路１３によって調整された映像信号は液晶モジュール１６に出力され、当該映像信号に基づいて映像処理回路１３に備えられた液晶パネル１６ａの各液晶素子が駆動される。
【００１４】
液晶パネル１６ａの背面には蛍光管等のバックライト１６ｂが備えられており、当該バックライト１６ｂの点灯がインバータ回路１６ｄによってインバータ制御される。バックライト１６ｂから出力された光が上記映像信号に基づいて液晶素子が駆動された液晶パネル１６ａを偏光・透過することにより、映像を表示することができる。一方、音声処理回路１４から出力された音声信号は、スピーカ２０に入力され、当該スピーカにて出力される。リモコン受光部１８は、外部のリモコンから出力される赤外線のパルス信号を受光して電気信号に変換するフォトダイオードを有しており、当該電気信号を所定の形式に変換してマイコン１１に出力する。
【００１５】
ドッキングユニット１７は外部のメディアプレーヤーとテレビジョン１０とのインターフェースをなすものであり、信号調整回路１７ａと充電回路１７ｂと充電スイッチ１７ｃと接続端子１７ｄとから構成されている。接続端子１７ｄは、メディアプレーヤーとドッキングユニット１７とを電気的に接続するための端子であり、より具体的にはメディアプレーヤーから映像信号や音声信号をドッキングユニット１７に伝送するための端子や、テレビジョン１０からメディアプレーヤーへ電源を供給するための端子や、例えばシリアルデータ通信によってメディアプレーヤーとテレビジョン１０が双方向に制御信号を授受するための端子などから構成されている。
【００１６】
信号調整回路１７ａ（信号受付手段）はメディアプレーヤーから入力された映像信号や音声信号を調整し、スイッチ回路２２を介して映像処理回路１３と音声処理回路１４に出力する処理を行う。ここでは、メディアプレーヤーからの映像信号や音声信号の検出を行い、映像信号に対してはテレビジョン１０での表示に適した解像度に変換する処理を行う。信号調整回路１７ａから出力された映像信号や音声信号はスイッチ回路２２に入力され、マイコン１１の指示に基づいて後段の回路へ出力されるか否かが切り替えられる。充電回路１７ｂはテレビジョン１０の電源回路２１から電源の供給を受けており、メディアプレーヤーの充電に適した電源を生成して充電を行う。充電スイッチ１７ｃは機械式のスイッチであり、ユーザーが切り換えを行うことにより、充電回路１７ｂに充電を行わせるか否かを制御することができる。
【００１７】
図２は、テレビジョン１０およびメディアプレーヤーの外観を斜めから見て示している。なお、メディアプレーヤーは本発明の再生端末に相当する。同図において、テレビジョン１０は略鉛直に正立した略薄板状の液晶パネル１６ａを備えており、当該液晶パネル１６ａの背面側に上述した各回路が備えられている。テレビジョン１０には液晶パネル１６ａを下方から支持する脚部２４を有しており、同脚部２４は水平面に広く接する略板状のベース部２４ａとベース部２４ａから略鉛直に立設されて上記パネル１６ａと接続する支柱２４ｂとから構成されている。ベース部２４ａの上面から下方に凹みを形成することにより、メディアプレーヤー５０の下端を挿入させる凹部２４ｃが設けられている。メディアプレーヤー５０は、その下端が凹部２４ｃに嵌まり込むことにより、正立した状態で保持される。このとき、正立したメディアプレーヤー５０の上端と液晶パネル１６ａの下端とが接触しないように、凹部２４ｃが液晶パネル１６ａよりも前方に形成されている。メディアプレーヤー５０の下端には図示されない入出力端子５９が設けられるとともに、凹部２４ｃの内部には上述した接続端子１７ｄが備えられている。
【００１８】
メディアプレーヤー５０の下端を凹部２４ｃに挿入したときに入出力端子５９と接続端子１７ｄが電気的に接続するように、入出力端子５９と接続端子１７ｄは互いに対応する位置に形成されている。これにより、入出力端子５９と接続端子１７ｄを介して、メディアプレーヤー５０から映像信号や音声信号をドッキングユニット１７に伝送したり、テレビジョン１０からメディアプレーヤー５０へ電源を供給したり、メディアプレーヤー５０とテレビジョン１０が双方向に制御信号を授受することが可能となる。また、ベース部２４ａの上面における凹部２４ｃに隣接する部位にはスライド式の充電スイッチ１７ｃが備えられている。ユーザーが充電スイッチ１７ｃをいずれか一方にスライドさせることによりメディアプレーヤー５０に対する充電をＯＮにし、他方にスライドさせることによりメディアプレーヤー５０に対する充電をＯＦＦにすることが可能となっている。具体的には、充電スイッチ１７ｃを操作することにより、充電回路１７ｂと接続端子１７ｄとの間を接続する電源供給ラインの導通／遮断が切り換えられる。
【００１９】
図３は、メディアプレーヤー５０の概略構成を示している。同図に示すように、メディアプレーヤー５０は、ＣＰＵ５１ａとＲＡＭ５１ｂとＲＯＭ５１ｃとハードディスク（ＨＤＤ）５１ｄとビデオデコーダ５２と液晶ディスプレイ５３と充電池５４と音声出力部５５とバス５６と操作パネル５７と画像出力回路５８と上記入出力端子５９とから構成されている。ＣＰＵ５１ａは、ＲＯＭ５１ｃから読み出したプログラムデータをＲＡＭ５１ｂ上に展開しつつ、メディアプレーヤー５０の各機能を実現するためのオペレーティングシステム（Ｏ／Ｓ）やアプリケーションを実行する。ＨＤＤ５１ｄ（記憶手段）は、上記Ｏ／Ｓが採用するファイルシステムによって各種メディアファイルや写真ファイルを記憶させる。
【００２０】
具体的には、音声と動画が再生可能な動画ファイルや、音声のみの再生が可能な音声ファイルや、静止画を表す静止画ファイル等を記憶する。これらのファイルの種別は、ファイル名における拡張子や、ファイルに添付されたヘッダによって上記ＯＳが判別することができる。特に、動画ファイルの再生には高度な圧縮解凍処理が必要となるため、専用のＩＣとしてビデオデコーダ５２が備えられている。液晶ディスプレイ５３は、ＣＰＵ５１ａが実行するアプリケーションによって出力されるＵＩ（ユーザーインターフェース）画面を表示するとともに、上記ビデオデコーダ５２がデコードした動画や静止画を表示する。
【００２１】
充電池５４は、例えばリチウムイオン電池で構成されており、外部から所定の電源が供給されることにより充電され、各部への電源供給が可能となる。音声出力部５５は、アンプとヘッドホン端子等から構成され、外部のヘッドホン等に所定レベルの音声を出力する。操作パネル５７は、上記ＵＩ画面等にしたがってメディアプレーヤー５０に対して操作をするためのボタン等によって構成されている。入出力端子５９は、画像出力回路５８から映像信号を入力するとともに、音声出力部５５から音声信号を入力する。また、入出力端子５９は、充電池５４とも接続されており、テレビジョン１０側から入出力端子５９に入力された電源を充電用の電源として充電池５４に供給することが可能となっている。さらに、入出力端子５９はバス５６を介してＣＰＵ５１ａと接続されているため、ＣＰＵ５１ａ上にて実行されているアプリケーションとデータを授受することができる。
【００２２】
（２）メディアプレーヤー接続時の処理
図４は、メディアプレーヤー接続時の接続処理の流れを示している。同図の処理は、テレビジョン１０に設けられた凹部２４ｃにメディアプレーヤー５０の下部が挿し込まれたときに実行される処理であり、主としてテレビジョン１０のマイコン１１が実行する処理である。まず、ステップＳ１００においては、凹部２４ｃにメディアプレーヤー５０が挿し込まれたか否かを検知（接続検知手段）し、挿し込まれるまで待機する。このとき、テレビジョン１０はメディアプレーヤー５０が挿し込まれたか否かを検知するために必要な程度の少量の電源を要し、少なくともスタンバイ状態で電源が供給されている必要がある。凹部２４ｃにメディアプレーヤー５０が挿し込まれたか否かを検知するための手段として、例えばメディアプレーヤー２０の入出力端子５９との電気的接続に伴う接続端子１７ｄの抵抗変化をマイコン１１が検知する手段や、凹部２４ｃにメディアプレーヤー５０の下部が挿し込むことにより操作されるバネ接点などを利用した機械的なスイッチを設けることにより検知する手段を採用することができる。
【００２３】
凹部２４ｃにメディアプレーヤー５０が挿し込まれたことをマイコン１１が検知すると、次にステップＳ１１０においてマイコン１１が充電回路１７ｂに対してメディアプレーヤー５０の充電池５４を充電するための電源を生成するよう指令する（充電手段）。ここで、充電スイッチ１７ｃがＯＦＦ側にスライドされていると、充電回路１７ｂと接続端子１７ｄとの間を接続する電源供給ラインが遮断されるため、充電池５４に対する充電がなされない（充電制限手段）。一方、充電スイッチ１７ｃがＯＮ側にスライドされていると、充電回路１７ｂと接続端子１７ｄとの間を接続する電源供給ラインが導通するため、充電池５４に対する充電がなされることとなる。すなわち、ユーザーは充電スイッチ１７ｃを操作することによって、メディアプレーヤー５０をテレビジョン１０に接続したときに充電を行うか否かを選択することができる。従って、ユーザーが望まない無駄な電力の消費を防止することができる。
【００２４】
ステップＳ１２０においては、マイコン１１がＲＯＭ１１ｃに記憶されたチャンネルマップＣＭを取得し、当該チャンネルマップＣＭを更新する。そして、更新したチャンネルマップＣＭをＲＯＭ１１ｃに書き戻す処理を行う。図５は、チャンネルマップＣＭを示している。同図において、チャンネルマップＣＭにおいては、通常モードと入力モードが規定されている。通常モードにおいては、各チャンネルに対応する音声および映像の入力ソースとしてチューナ１２が規定されており、さらにチューナ１２が受信すべきデジタルテレビジョン放送の周波数も規定されている。一方、外部入力モードにおいては、各チャンネルに対応して、外部入力端子２３やドッキングユニット１７等の入力ソースが規定されている。
【００２５】
例えば、外部入力モードのビデオ１モードに対して、音声および映像の入力ソースとして外部入力端子２３からの入力が対応付けられている。また、外部入力モードとして”メディアプレーヤーモードα”および”メディアプレーヤーモードβ”が設けられており、メディアプレーヤーモードαに対応する音声および映像の入力ソースとして、ドッキングユニット１７からの入力が規定されている。一方、メディアプレーヤーモードβに対応する音声の入力ソースとしてドッキングユニット１７からの入力が規定され、映像についてはマイコン１１のＯＳＤ信号が規定されている。このチャンネルマップＣＭは、例えば所定の周期ごとやユーザーがオートプリセットを行うことにより更新される。
【００２６】
マイコン１１は、チャンネルマップＣＭにリストアップされたいずれかのチャンネルの指定をリモコン等で受け付ける。ただし、チャンネルマップＣＭには各チャンネルを無効化する旨のフラグ（●で図示。）を添付することができ、当該フラグが添付されたチャンネルは選択することができない。マイコン１１がチャンネルマップＣＭにリストアップされたいずれかのチャンネルまたは入力モードの選択を受け付けると、当該選択されたチャンネルまたは入力モードについて選択中である旨のフラグ（◎で図示。）をチャンネルマップＣＭおいて添付する。そして、当該チャンネルに対応する入力ソースにスイッチ回路２２が切り換え、通常モードである場合には、対応する周波数をチューナ１２が選局するように指令を行う。また、最後に選局した通常モードのチャンネルについては、その旨を示すフラグ（△で図示。）をチャンネルマップＣＭおいて添付されている。
【００２７】
ステップＳ１２０においては、チャンネルマップＣＭにおける外部入力モードのチャンネルとしてメディアプレーヤーモードαおよびメディアプレーヤーモードβを追加する処理を行う。ステップＳ１２０を実行する段階でチャンネルマップＣＭにおけるメディアプレーヤーモードαおよびメディアプレーヤーモードβに対応する欄には無効化するフラグ（●で図示。）が添付されており、ステップＳ１２０では当該フラグを除去することにより、実質的にメディアプレーヤーモードαとメディアプレーヤーモードβを有効なものとしてチャンネルマップＣＭに追加する。以上のようなメディアプレーヤーモードα，βを追加することにより、以降はチャンネルアップやチャンネルダウンの操作等を行うことにより、メディアプレーヤーモードα，βが指定され得る状態となる。なお、チャンネルマップＣＭに規定されていないテレビジョン放送のチャンネルや入力モードは、リモコン等によって選択することはできない。
【００２８】
次のステップＳ１３０においてテレビジョン１０の電源の状態をマイコン１１が判断する。ここで、テレビジョン１０がスタンバイ状態であると判断された場合には、ステップＳ１４０にて、スタンバイ状態から通常のＯＮ状態に移行し、電源回路２１にメイン電源を供給させる。一方ステップＳ１３０においてテレビジョン１０が通常のＯＮ状態であると判断された場合には、そのまま通常のＯＮ状態を継続し、メイン電源の供給を継続する。
【００２９】
次のステップＳ１５０では、メディアプレーヤー５０が現在何らかのメディアファイルを再生しているか否かをマイコン１１が判定する。すなわち、ユーザーが何らかのメディアファイルを再生した状態のままメディアプレーヤー５０をテレビジョン１０にセットしたか否かを判定する。ここでいずれかのメディアファイルを再生していると判定した場合には、ステップＳ１６０において、どのようなメディアファイルが再生中であるかを判定する。すなわち、ステップＳ１５０，Ｓ１６０では、下記のＡ〜Ｃに示す３通りの状態が判断されることとなる。
Ａ：いずれのメディアファイルも再生していない。
Ｂ：音声と映像を含むメディアファイルを再生している。
Ｃ：音声のみのメディアファイルを再生している。
【００３０】
なお、一般的にメディアプレーヤー５０において入出力端子５９に音声信号や映像信号を出力させるか否かを設定することができるが、本実施形態ではメディアプレーヤー５０が再生を行っている音声や映像に対応する音声信号と映像信号がそのままメディアプレーヤー２０の入出力端子５９から出力されるように設定されているものとする。また、ステップＳ１６０においてメディアプレーヤー５０がＢ，Ｃのいずれかの再生状態であるかをマイコン１１が認識する手法として、以下の手法を採用することができる。例えば、メディアプレーヤー５０のＣＰＵ５１ａ等で実行されている再生アプリケーションやＯ／Ｓがマイコン１１の求めに応じて、現在再生中のメディアファイルのプロパティを返す機能を有している場合には、当該プロパティに基づいてマイコン１１がＡ〜Ｃのいずれかを判断することができる。
【００３１】
また、音声信号や映像信号をそれぞれ入力する接続端子１７ｄ（入出力端子５９）の信号状態をマイコン１１が検知し、無信号状態か否かによってＡ〜Ｃのいずれかを判断することもできる。例えば、映像信号の場合、同期信号の検出の有無によって映像信号の有無を判断することができる。さらに、接続端子１７ｄ（入出力端子５９）のなかに音声信号や映像信号の有無を伝達するための端子を設け、当該端子の電気的状態をマイコン１１が検知するようにしてもよい。また、音声のみのメディアファイルを再生している場合であっても、当該メディアファイルの再生に必要なメディアプレーヤー５０のＵＩ画面に対応する映像信号が接続端子１７ｄ（入出力端子５９）を介して出力される場合も考えられる。この場合、接続端子１７ｄ（入出力端子５９）の信号状態や電気的状態だけではＢとＣとの区別をすることができない。しかし、ＵＩ画面は変動が少なくパターンも限られるため、例えば映像信号の波形や情報量（ビットレート）等に基づいて判別をすることができる。
【００３２】
ステップＳ１６０において、Ｂであると判定された場合には、テレビジョン１０は、次のステップＳ１７０において、マイコン１１がテレビジョン１０の入力モードをメディアプレーヤーモードαに切り換える処理を行う。このメディアプレーヤーモードαにおいては、ドッキングユニット１７の信号調整回路１７ａを機能させ、当該信号調整回路１７ａにて接続端子１７ｄを介して入力される映像信号や音声信号を調整し、チューナ１２に出力する処理を行わせる。さらに、スイッチ回路２２を切り換えることにより、信号調整回路１７ａから入力される音声信号や映像信号を映像処理回路１３と音声処理回路１４に入力させることができる。従って、メディアプレーヤー５０が出力している音声信号と映像信号をそれぞれテレビジョン１０のスピーカ２０と液晶パネル１６ａから出力可能な状態とされる。なお、ステップＳ１２０では予めチャンネルマップＣＭにおいてメディアプレーヤーモードαを有効化しているため、マイコン１１はメディアプレーヤーモードαに切り替えることができる。
【００３３】
Ｂであると判定された場合には、メディアプレーヤー５０で再生中のメディアファイルの音声信号と映像信号が接続端子１７ｄ（入出力端子５９）を介して出力されるため、テレビジョン１０のスピーカ２０と液晶パネル１６ａからこれらに対応した音声と映像を出力することができる。例えば、メディアプレーヤー５０において音声付きのニュース映像を再生していた場合には、テレビジョン１０のスピーカ２０と液晶パネル１６ａからニュースの音声と映像を出力することができる。このように、メディアプレーヤー５０がテレビジョン１０にセットされた場合に、自動的にメディアプレーヤーモードαに切り換えることができるため、ユーザーはメディアプレーヤー５０で鑑賞していたメディアファイルを引き続きテレビジョン１０で鑑賞することができる。
【００３４】
一方、ステップＳ１６０において、Ｃであると判定された場合には、テレビジョン１０のマイコン１１はステップＳ１８０において、メディアプレーヤーモードβに切り換える処理を行う。メディアプレーヤーモードβでは、信号調整回路１７ａから入力される音声信号のみを音声処理回路１４に入力させ、映像信号はマイコン１１から映像処理回路１３に入力されるように、スイッチ回路２２が切り換えられることとなる。そして、マイコン１１が所定のＯＳＤ信号を生成するとともに、当該ＯＳＤ信号を映像処理回路１３に出力し、液晶パネル１６ａにて表示させる。なお、ステップＳ１２０では予めチャンネルマップＣＭにおいてメディアプレーヤーモードβを有効化しているため、マイコン１１はメディアプレーヤーモードβに切り替えることができる。
【００３５】
図６は、上記ＯＳＤ信号に基づいて液晶パネル１６ａが表示するダミー映像を示している。同図において、現在メディアプレーヤーモードとなっている旨と、音声が再生中である旨が表示されている。このように、映像の出力がない場合に所定の画面を表示させることにより、ユーザーに現在の動作状況を通知することができる。すなわち、無信号状態におけるいわゆる砂嵐画面やブルーバック画面となることが防止でき、ユーザーが故障したと誤認識することが防止できる。一方、音声はメディアプレーヤー５０が再生しているとおりのものがテレビジョン１０のスピーカ２０から出力されるため、ユーザーはメディアプレーヤー５０によって再生させた音声メディアをスピーカ２０から聴くことができる。
【００３６】
ステップＳ１５０において、Ａであると判定された場合には、例えばメディアプレーヤー５０の電源がＯＦＦである場合等、音声信号と映像信号のいずれも接続端子１７ｄ（入出力端子５９）から入力されていないこととなる。そこで、マイコン１１は、ステップＳ１９０においてメディアプレーヤー５０を再生状態とすべく、所定の操作コマンドを生成し、上記接続端子１７ｄ（入出力端子５９）を介してメディアプレーヤー５０のＣＰＵ５１ａに当該操作コマンドを送信する。なお、メディアプレーヤー５０は操作パネル５７よってユーザーからの操作を監視しており、当該操作に基づいて操作パネル５７が操作コマンドを生成（エンコード）し、メディアプレーヤー５０のＣＰＵ５１ａが常時実行する制御アプリケーションに出力する。そして、当該制御アプリケーションが、上記操作コマンドに応じた処理をＣＰＵ５１ａが実行するようになっている。これにより、ユーザーが所望する動作をメディアプレーヤー５０に行わせることができる。
【００３７】
ステップＳ１９０では、マイコン１１が操作コマンドを生成して、メディアプレーヤー５０のＣＰＵ５１ａに送信する。マイコン１１は、メディアプレーヤー５０のＣＰＵ５１ａで実行さている制御アプリケーションがメディアプレーヤー５０の操作パネル５７から受け付ける操作コマンドと同様の操作コマンドを生成する。ここでは、メディアプレーヤー５０の操作パネル５７に対する下記の[１]〜[６]に示す操作に対応する操作コマンドを生成し、上記接続端子１７ｄ（入出力端子５９）を介してメディアプレーヤー５０のＣＰＵ５１ａに送信する（操作マクロ出力手段，コマンド出力手段）。
［１］Ｍボタン→［２］Ｄボタン→［３］Ｄボタン→
［４］Ｄボタン→［５］Ｒボタン→［６］Ｐボタン
【００３８】
図７は、メディアプレーヤー５０の操作パネル５７および制御アプリケーションが実行する操作メニュー（フォルダ）構造を示している。同図において、メインメニューを起点とした階層状の操作メニューが形成されており、操作パネル５７を操作することにより、各操作メニューを選択することが可能となっている。操作パネル５７には、メインメニューへ戻るためのＭボタンと、同一階層の操作メニューを上に移動するためのＵボタンと下に移動するためのＤボタンと、一つ上の階層に戻るためのＬボタンと、一つ下の階層に進むためのＲボタンと、決定（再生）を行うためのＰボタンとから構成されている。上記の[１]〜[６]に示す操作コマンドをメディアプレーヤー５０のＣＰＵ５１ａが受信すると、まず［１］の操作コマンドによってメインメニューの一番上の“オーディオフォルダ”が選択された状態となる。なお、メディアプレーヤー５０の電源がＯＦＦとなっている場合には、［１］の操作コマンドによってメディアプレーヤー５０の電源が投入される。次に、［２］〜［４］の操作コマンドによってメインメニュー内を３回下に移動して、“ＰＯＤＣＡＳＴフォルダ”を選択する。そして、［５］の操作コマンドによってＰＯＤＣＡＳＴの下層の最上部にある“新着フォルダ”が選択される。このように、“ＰＯＤＣＡＳＴフォルダ”の“新着フォルダ”が選択された状態で、［６］の操作コマンドによって当該“新着フォルダ”のメディアファイルが再生されることとなる。
【００３９】
ここで、“新着フォルダ”とは、前回メディアプレーヤー５０を使用した時よりも後に、メディアプレーヤー５０のＨＤＤ５１ｄに記憶されたメディアファイルが一時的に格納されるフォルダである。例えば、メディアプレーヤー５０の使用を終えた後に、メディアプレーヤー５０をＵＳＢ[Universal serial bus]マスストレージモードで外部のコンピュータに接続し、当該コンピュータからメディアプレーヤー５０のＨＤＤ５１ｄにメディアファイルの転送を受けた場合に、当該メディアファイルが格納されるフォルダを指す。
【００４０】
また、近年、インターネット上の外部のサーバにおいて定期的または不定期的にアップロードされたメディアファイルをダウンロードさせるＲＳＳ[RDF Site Summary]フィードが普及してきており、このようなＲＳＳフィードによってコンピュータにダウンロードされた新規のメディアファイルがさらにメディアプレーヤー５０に転送され、上記“新着フォルダ”に格納される。なお、必ずしも物理的なフォルダに格納される必要はなく、例えば新着であることを示すフラグが添付されたメディアファイルを仮想的な“新着フォルダ”に格納されたものとして扱ってもよい。なお、ＲＳＳフィードにおいては、映像付きのメディアファイルのみならず、音声のみのメディアファイルもダウンロードさせることができる。本実施形態において、“新着フォルダ”には、映像付きのメディアファイルも音声のみのメディアファイルも混在して格納されることとする。
【００４１】
以上のように[１]〜[６]の操作コマンドをテレビジョン１０のマイコン１１がまとめて生成することにより、本来は複雑な操作を要する動作も容易にメディアプレーヤー５０に実行させることができる。このような動作は、操作パネル５７に対する複数の操作の組み合わせ対応しており、[１]〜[６]の操作コマンドの組み合わせを操作マクロであると考えることができる。なお、[１]〜[６]の操作コマンドを送出するタイミングは[１]〜[６]の順序となるが、各操作コマンドに応じた動作が完了するまで次の操作コマンドの受け付けができない場合（例えばＣＰＵ５１ａがビジーとなる場合）には、各操作コマンドに応じた動作が完了するのを待ってから次の操作コマンドを送出するのが望ましい。
【００４２】
次のステップＳ２００においては、ステップＳ１５０と同様にメディアプレーヤー５０がいずれかのメディアファイルを再生しているか否かマイコン１１が判定する。ここで何らメディアファイルを再生していないと判定された場合、“新着フォルダ”が空であったと判断することができる。従って、再生すべきメディアファイルがないとして、ステップＳ２１０にて処理を終了させる。一方、メディアプレーヤー５０がいずれかのメディアファイルを再生していると判断された場合にはステップＳ１６０に戻り、どのようなメディアファイルを再生しているか（Ｂ，Ｃのいずれであるかを）を判定する。ここでも、音声および映像を再生している判定された場合には、ステップＳ１７０にてメディアプレーヤーモードαに切り換えられるため、メディアプレーヤー５０からの音声および映像をテレビジョン１０のスピーカ２０および液晶パネル１６ａにて鑑賞することができる。一方、音声のみのメディアファイルを再生している場合には、上述したステップＳ１８０を実行するため、メディアプレーヤー５０からの音声のみをスピーカ２０から出力させ、液晶パネル１６ａにはマイコン１１が生成したダミー映像が表示されることとなる。すなわち、本実施形態において、“新着フォルダ”に存在するメディアファイルは音声のみの場合もあるため、メディアファイルの種類に応じて最適なモードに移行することができる。
【００４３】
以上のようにして、ユーザーがテレビジョン１０にメディアプレーヤー５０をセットするにあたり再生中であったメディアファイル、または、“新着フォルダ”に格納されたメディアファイルの音声をテレビジョン１０のスピーカ２０にて出力させることができ、該当する場合には映像もテレビジョン１０の液晶パネル１６ａにて出力させることができる。ユーザーがテレビジョン１０にメディアプレーヤー５０をセットするにあたり複数のメディアファイルで構成されるファイルリストを再生させていた場合や、“新着フォルダ”に格納された複数のメディアファイルを再生する場合には、メディアプレーヤー５０がすべての再生対象の再生を完了させるまでの時間をテレビジョン１０側が予測することができない。そこで、ステップＳ２２０において、現在、何らかのメディアファイルを再生しているか否かを判定する処理をマイコン１１が周期的に実行する。この処理はステップＳ１５０と同様の処理である。
【００４４】
そして、いずれのメディアファイルも再生されていない場合には、再生すべきファイルの再生が完了したとして、ステップＳ２３０にてメディアプレーヤーモードα，βを終了させ、処理を終了させる。例えば、ステップＳ１７０，Ｓ１８０にてメディアプレーヤーモードα，βに移行する直前にチューナ１２が受信していたチャンネルを受信するようにチューナ１２を制御する。図５に示すチャンネルマップＣＭにおいては、最後に選択された通常モードのチャンネルには、その旨を示すフラグ（△で図示。）が添付されているため、当該フラグが添付されたチャンネルをチューナ１２にて選局させることができる。一方、ステップＳ２２０において、何らかのメディアファイルを再生していると判定された場合には、ステップＳ１６０に戻り、現在の再生状態が上述したＢ，Ｃのいずれであるかを判定し、再生中のメディアファイルに応じたメディアプレーヤーモードα，βの切り換えを実行する。このようにステップＳ１５０〜Ｓ２３０を周期的に繰り返して実行することにより、メディアプレーヤー５０の再生状態を監視することができ、再生完了後にはテレビジョン１０を通常のモードに戻すことができる。また、周期的に再生中のメディアファイルが映像を含むものか否かが判定されているため、再生中のメディアファイルの種類に応じて、適宜、ダミー映像を表示させることができる。
【００４５】
（３）メディアプレーヤー接続後の処理
以上においては、メディアプレーヤー５０をテレビジョン１０に接続したとき、および、その直後における処理を説明したが、ここからはメディアプレーヤー５０をテレビジョン１０に接続した後の処理について説明する。図８は、メディアプレーヤー５０の接続後に実行する充電監視処理の流れを示している。同図において、ステップＳ３１０にて、ドッキングユニット１７の充電回路１７ｂが接続端子１７ｄ（入出力端子５９）を介してメディアプレーヤー５０の充電池５４の充電残量を計測する。そして、ステップＳ３２０にて充電残量が所定の閾値に達していないと判断された場合には、ステップＳ３３０にて充電回路１７ｂに充電を行わせる。ただし、充電スイッチ１７ｃがＯＦＦにされている場合には、充電回路１７ｂからの電源ラインが通電しないため、充電は行われないこととなる。一方、ステップＳ３２０にて充電残量が所定の閾値に達していると判断された場合には、充電を行うことなくステップＳ３１０に戻る。以上の処理は、メディアプレーヤー５０の接続中において周期的に実行されるため、メディアプレーヤー５０の接続時（図４のステップＳ１１０）に開始した充電によって、所定の閾値以上に充電残量が達したことを検知し、充電を停止させることができる。従って、無駄な電力消費を防止することができる。また、メディアプレーヤー接続後にユーザーが充電スイッチ１７ｃをＯＮ側に操作し、かつ、充電残量が所定の閾値に達していない場合にも、充電を開始させることができる。また、本処理を実行するタイミングを周期的ではなく、充電開始から任意の時間とすることもできる。
【００４６】
ところで、メディアプレーヤー５０をテレビジョン１０に接続し、最初の段階では充電のみを行っていたが、その後、メディアプレーヤー５０を再生させたいと考える場合も考えられる。そのような場合に備えて、テレビジョン１０は以下に説明する処理を実行している。図９においては、メディアプレーヤー５０の再生状態を監視する再生状態監視処理の流れを示している。同図においては、上述した接続処理（図４）のステップＳ１５０〜Ｓ２２０と同様の処理が示されている。再生状態監視処理は、接続処理が終了した後において周期的に実行される処理である。なお、接続処理は、ステップＳ２３０においてメディアプレーヤーモードから通常のモードに移行した状態で終了させられているか、ステップＳ２１０においてメディアプレーヤーモードに移行することなく終了させられることとなる。従って、接続処理の終了後に実行される再生状態監視処理は、メディアプレーヤーモードではない状態で実行されていることとなる。
【００４７】
再生状態監視処理においては、ステップＳ４１０，Ｓ４２０において、メディアプレーヤー５０の再生状態を以下のＡ〜Ｃのいずれかであるかを判定する（再生状態検知手段）。なお、ステップＳ４１０〜Ｓ４２０の処理の詳細は上述した接続処理（図４）と同様であるため、説明を省略する。
Ａ：いずれのメディアファイルも再生していない。
Ｂ：音声と映像を含むメディアファイルを再生している。
Ｃ：音声のみのメディアファイルを再生している。
ステップＳ４１０において、Ａであると判定された場合には、リターンし、引き続きメディアプレーヤー５０の再生状態を監視する。ステップＳ４２０において、Ｂであると判定された場合には、ステップＳ４３０にて上述した接続処理（図４）のステップＳ１７０と同様に音声信号と映像信号ともにメディアプレーヤー５０からの入力を受け付けるメディアプレーヤーモードαにテレビジョン１０を切り換える。
【００４８】
また、ステップＳ４２０において、Ｃであると判定された場合には、ステップＳ４４０にて上述した接続処理（図４）のステップＳ１８０と同様に音声信号のみメディアプレーヤー５０からの入力を受け付け、ダミー映像を液晶パネル１６ａに表示させるメディアプレーヤーモードβにテレビジョン１０を切り換える。このようにすることにより、メディアプレーヤー５０においていずれかのメディアファイルを再生させれば、テレビジョン１０を自動的にメディアプレーヤーに切り換えることができる。また、上述した接続処理（図４）にてチャンネルマップＣＭにメディアプレーヤーモードα，βが追加されているため、これらのモードに切り換えることができる。
【００４９】
ステップＳ４５０においては、上述した接続処理（図４）のステップＳ２２０と同様に、何らかのメディアファイルを再生しているか否かを判定する処理をマイコン１１が周期的に実行する。そして、いずれのメディアファイルも再生されていない場合には、メディアファイルの再生が完了したとして、ステップＳ４６０にてメディアプレーヤーモードα，βを終了させ、リターンする。一方、いずれかのメディアファイルが再生されていると判定された場合には、上述したステップＳ４２０に戻り、メディアファイルの内容に応じたメディアプレーヤーモードα，βを実行させる。これにより、種類の異なる複数のメディアファイルを連続して再生させた場合でも、メディアファイルの種類に応じたメディアプレーヤーモードα，βに切り換えることができる。
【００５０】
以上においては、テレビジョン１０に接続したメディアプレーヤー５０に対して操作を行った場合に、テレビジョン１０を連携させる動作を説明したが、逆にテレビジョン１０に対して操作を行うことにより、メディアプレーヤー５０の機能を利用することもできる。図１０においては、リモコン操作監視処理の流れを示している。同図において、ステップＳ５００では、リモコン受光部１８から所定の信号の入力があったか否かをテレビジョン１０のマイコン１１が判定する。この信号とは、図示しないリモコンに設けられたスライドショー＆オーディオボタンを押すことにより生成した赤外線パルスの受光に応じてリモコン受光部１８が生成する信号を意味する。従って、ステップＳ５００では、リモコンのスライドショー＆オーディオボタンが押されたか否かを判定されていることとなる。
【００５１】
リモコンのスライドショーボタンが押されない場合には、ステップＳ５００に戻り、同様の処理を繰り返す。一方、リモコンのスライドショー＆オーディオボタンが押された場合には、ステップＳ５１０にて、マイコン１１が下記の[１]〜[８]に示す操作コマンドを生成して、メディアプレーヤー５０のＣＰＵ５１ａに送信する。
［１］Ｍボタン→［２］Ｄボタン→［３］Ｄボタン→
［４］Ｒボタン→［５］Ｐボタン→［６］Ｍボタン
［７］Ｒボタン→［８］Ｐボタン
すると、メディアプレーヤー５０は上記の操作コマンドに応じた動作を順次実行する。
【００５２】
すなわち、まずメディアプレーヤー５０の操作メニューのメインメニューに戻る[１]の操作コマンドを与えることにより、ユーザーによって任意に操作されていた状態から一定の状態（メインメニュー）にメディアプレーヤー５０を復帰させることができる。また、メディアプレーヤー５０の電源がＯＦＦとなっている場合も、[１]の操作コマンドにより電源をＯＮにさせることができる。次に、メインメニューにて下へ２回移動する[２]，［３］の操作コマンドを与えることにより、メインメニューから“写真フォルダ”に移動させることができる。さらに、［４］の操作コマンドにより“写真フォルダ”の下の層に移動し、当該層の最上部にある“お気に入りフォルダ”が選択された状態となる。
【００５３】
そして、実行を指示する[５]の操作コマンドを与えることにより、“お気に入りフォルダ”に格納された写真ファイルを順次切り換えて表示するスライドショーが実行される。なお、写真ファイルとは例えばデジタルスチルカメラで撮影された画像データである。さらに、メインメニューに戻る[６]の操作コマンドを与えることにより、再びメインメニューに戻る。このとき、メインメニューの最上部にある“オーディオフォルダ”が選択されており、次の［７］の操作コマンドによって下層の最上部にある“お気に入りフォルダ”をカレントフォルダとすることができる。さらに、再生を実行させる[８]の操作コマンドを与えることにより、“オーディオフォルダ”における“お気に入りフォルダ”に格納されたオーディオファイルを順次再生する処理が実行される。
【００５４】
以上の[１]〜[８]に示す操作コマンドも全体として操作マクロであり、メディアプレーヤー５０に対する複雑な操作をリモコンのスライドショー＆オーディオボタンだけで代替することができる。以上のステップＳ５１０を実行することにより、メディアプレーヤー５０の液晶ディスプレイ５３にて写真画像を順次表示することができる。同時に、メディアプレーヤー５０の音声出力部５５から音声を出力することができる。さらに、これらの音声と映像に対応した音声信号と映像信号は、入出力端子５９からも出力され、当該入出力端子５９と接続するテレビジョン１０の接続端子１７ｄにも入力される。このようにすることにより、メディアプレーヤー５０は再生状態に移行するため、上述した再生状態監視処理にて再生状態が検知され、テレビジョン１０のマイコン１１がメディアプレーヤーモードαに切り換えることとなる。ここでは、メディアプレーヤー５０から音声信号および映像信号が双方がとも音声処理回路１４と映像処理回路１３にそれぞれ入力されることとなるため、テレビジョン１０のスピーカ２０と液晶パネル１６ａからこれらに対応する音声と映像が出力される。従って、ユーザーはお気に入りの写真や音楽をテレビジョン１０によって鑑賞することができる。
【００５５】
（４）メディアプレーヤー接続解除時の処理
図１１は、メディアプレーヤー５０をテレビジョン１０から取り外すときの処理の流れを示している。同図の処理は、テレビジョン１０に設けられた凹部２４ｃからメディアプレーヤー５０の下部が引き抜かれるときに実行される処理である。まず、ステップＳ５００においては、凹部２４ｃからメディアプレーヤー５０が引き抜かれるか否かを検知（解除検知手段）し、引き抜かれるまで待機する。凹部２４ｃからメディアプレーヤー５０が引き抜かれたか否かを検知するための手段として、例えばメディアプレーヤー２０の入出力端子５９との電気的接続に伴う接続端子１７ｄの抵抗変化をマイコン１１が検知する手段や、凹部２４ｃにメディアプレーヤー５０の下部を挿し込むことにより操作される機械的なスイッチを設けることにより検知する手段を採用することができる。
【００５６】
ステップＳ６００においてメディアプレーヤー５０とテレビジョン１０との接続解除が検知されると、ステップＳ６１０においてマイコン１１はチャンネルマップＣＭをＲＯＭ１１ｃから読み出して、チャンネルマップＣＭからメディアプレーヤーモードα，βに無効である旨のフラグ（●で図示。）を添付する処理を実行する（禁止手段）。メディアプレーヤーモードα，βは、上述した接続処理（図４）においてメディアプレーヤー５０とテレビジョン１０を接続した場合に限り有効なものとされるモードであり、メディアプレーヤー５０がテレビジョン１０に接続されていない状態では、メディアプレーヤーモードα，βはチャンネルマップＣＭにおいて有効なものとして存在しないこととなる。従って、メディアプレーヤー５０がテレビジョン１０に接続されていない状態では、メディアプレーヤーモードα，βに移行できないようにすることができる。
【００５７】
図１２は、メディアプレーヤー５０とテレビジョン１０を接続した状態Ｓ１、および、メディアプレーヤー５０とテレビジョン１０との接続を解除した状態Ｓ２のそれぞれにおいてチャンネルアップダウン操作を行った場合の様子を模式的に示している。リモコン等を利用してチャンネルアップダウン操作を行うことにより、チャンネルマップＣＭに規定された各チャンネルやモードが順次切り換えられていく（任意切換手段）。従って、チャンネルマップＣＭにメディアプレーヤーモードα，βが規定された状態Ｓ１においては、メディアプレーヤーモードα，βにも順次切り換えられることとなる。一方、チャンネルマップＣＭにメディアプレーヤーモードα，βが無効化されている状態Ｓ２においては、メディアプレーヤーモードα，βには切り換えられることはなく、メディアプレーヤーモードα，βへの移行がスキップされることとなる。このようにすることにより、メディアプレーヤー５０とテレビジョン１０との接続を解除した状態Ｓ２でメディアプレーヤーモードα，βに移行することが防止でき、テレビジョン１０が無音状態、無映像状態となることが防止できる。
【００５８】
（５）各種変形例
（５−１）ダミー映像の変形例
以上説明した実施形態において、メディアプレーヤー５０が音声のみのメディアファイルを再生している場合には、マイコン１１が生成したＯＳＤ信号に基づくダミー映像を液晶パネル１６ａに出力する。このダミー映像は、少なくともテレビジョン１０がメディアプレーヤー５０の音声信号を正常に出力している旨をユーザーに伝えることができればよく、図６に示すものに限られるものではない。例えば、図６に示したダミー映像の文字を周期的に移動させることによって、スクリーンセ−バーの機能を発揮させるようにすることも可能である。液晶パネル１６ａにおいては、スクリーンセ−バーの効果は大きくないが、例えばプラズマパネルなどに本発明を適用する場合には、スクリーンセ−バー機能を有したダミー映像とするのが望ましい。
【００５９】
また、テレビジョン１０がメディアプレーヤー５０の音声のみを出力する際に、ユーザーを退屈させないように、ダミー映像に趣向性を加えるようにしてもよい。例えば、テレビジョン１０のＲＯＭ１１ｃに複数の写真画像ファイルを記憶させておき、当該写真画像ファイルのスライドショーをマイコン１１が生成し、ダミー映像を表示するためのＯＳＤ信号として出力するようにしてもよい。また、テレビジョン１０にメモリカードスロットやＨＤＤや光ディスクドライブ等を備えさせ、当該メモリカードスロットに挿入されたメモリカードから写真画像ファイルを読み出して、マイコン１１がスライドショーを生成するようにしてもよい。この場合、ユーザーが好みの写真画像ファイルを記憶させたメモリカードを挿入することにより、好みの写真画像ファイルのスライドショーを、メディアプレーヤー５０による音声出力を聴きながら鑑賞することができる。
【００６０】
また、ダミー映像は、完全にマイコン１１が生成したＯＳＤ信号に基づくものに限られず、マイコン１１が生成したＯＳＤ信号による映像と、他の入力ソースからの映像とを合成させたものであってもよい。例えば、チューナ１２が受信したテレビジョン放送の映像と、マイコン１１が生成したＯＳＤ信号による映像を合成してダミー映像を生成するようにしてもよい。このようにすることにより、例えばスポーツ等の音声が必ずしも必要でないテレビジョン番組を鑑賞しながら、メディアプレーヤー５０が再生するメディアファイルの音声を聴くことができる。マイコン１１が生成したＯＳＤ信号によって、メディアプレーヤー５０の音声のみを出力中である旨を表示しておけば、ユーザーは故障と勘違いすることもない。さらに、テレビジョン放送の映像とＯＳＤ信号による映像を合成するにあたっては、共通の領域の画像信号を重ね合わせるようにしてもよいし、領域を分割し、それぞれ領域ごとにテレビジョン放送の映像とＯＳＤ信号による映像を表示するようにしてもよい。
【００６１】
（５−２）省電力動作
以上においては、メディアプレーヤー５０から音声のみが出力されている場合（Ｃであると判定された場合）に、ダミー映像を表示させる実施形態を説明したが、省電力の観点からダミー映像を表示させないようにしてもよい。図１３は、本変形例にかかる接続処理の流れを示している。本実施形態において、上記実施形態（図４）とほぼ同様の接続処理の流れとなっている。しかしながら、メディアプレーヤー５０から音声のみが出力されている場合に、メディアプレーヤーモードβに切り換えるステップＳ１８０の処理が上記実施形態（図４）と相違している。本変形例では、ステップＳ１８０に代替する処理として、ステップＳ１８０ＡとステップＳ１８０Ｂとを実行する。ステップＳ１８０Ａにおいては、上記実施形態（図４）と同様にメディアプレーヤーモードβに切り換える処理を実行する。それと同時にマイコン１１がＯＳＤ信号を生成し、ダミー映像を出力する。
【００６２】
図１４は、本変形例にて表示されるダミー映像を示している。同図に示すように、ダミー映像において”メディアプレーヤー５０から音声のみ出力されているため、数秒後にバックライトを消灯します”というメッセージが表示されている。以上のようなダミー映像を液晶パネル１６ａに表示させた上で、次のステップＳ１８０Ｂを実行させる。ステップＳ１８０Ｂにおいては、マイコン１１が電源回路２１に対してインバータ回路１６ｄと駆動回路１６ｃへの電源供給を停止するように指令する。これにより、バックライトが消灯し、電力消費を抑えることができる。また、ユーザーに対してバックライトを消灯することを予告することができるため、故障と勘違いされることが防止できる。なお、本変形例においては、一旦、ダミー映像を表示してからバックライトを消灯するようにしたが、ステップＳ１７０にてメディアプレーヤー５０から音声のみが出力されていると判定された段階で、バックライトを消灯するようにしてもよい。
【００６３】
（５−３）充電に関する変形例
図１５は、本変形例にかかる充電設定処理の流れを示している。同図において、ステップＳ７００では、リモコン受光部１８から所定の信号の入力があったか否かをテレビジョン１０のマイコン１１が判定する。この信号とは、図示しないリモコンに設けられた充電設定ボタンを押すことにより生成した赤外線パルスの受光に応じてリモコン受光部１８が生成する信号を意味する。ステップＳ７００にて充電設定ボタンが押されたことが確認されると、ステップＳ７１０にてマイコン１１が所定のＯＳＤ信号を生成し、当該ＯＳＤ信号に基づく充電設定用ＵＩ画面を液晶パネル１６ａに表示させる。次に、ステップＳ７２０にて、当該充電設定用ＵＩ画面に対する操作に対応するリモコン受光部１８からの信号の入力を受け付ける。
【００６４】
図１６は、充電設定用ＵＩ画面の一例を示している。同図において、メモリー効果防止機能のＯＮ／ＯＦＦを指定するためのチェックボックスが設けられている。当該チェックボックスをＯＮにチェックをした場合には充電を開始させる充電残量を具体的な数値として指定することが可能となっている。また、充電を終了させる充電残量も具体的な数値として指定することが可能となっている。ステップＳ７２０では、充電設定用ＵＩ画面に対する操作に対応するリモコン受光部１８からの信号の入力を受け付け、当該操作に応じて充電設定用ＵＩ画面を更新する。
【００６５】
ステップＳ６３０においては、充電設定用ＵＩ画面に設けられた決定ボタンの操作に対応するリモコン受光部１８からの信号の入力を受け付けられたか否かを検知し、受け付けられた場合には、ステップＳ７４０にて充電設定用ＵＩ画面におけるユーザーの指定に基づいて充電開始閾値と充電終了閾値とを取得する。メモリー効果防止機能がＯＦＦと指定された場合には充電開始閾値を０％とし、メモリー効果防止機能がＯＮと指定された場合には充電設定用ＵＩ画面にて指定された充電を開始させる充電残量を充電開始閾値として取得する。一方、充電設定用ＵＩ画面にて指定された充電を終了させる充電残量を充電終了閾値として取得する。以上のようにして取得された充電開始閾値と充電終了閾値はステップＳ７５０にてＲＯＭ１１ｃに書き込まれる。
【００６６】
図１７は、本変形例にかかる充電監視処理の流れを示している。同図の処理は、上述した実施形態の充電開始処理（図８）とほぼ同様であるが、図８のステップＳ３２０に代替してステップＳ３２０Ａを実行するようにしている。ステップＳ３２０Ａにおいては、ＲＯＭ１１ｃから予め充電設定処理において設定された充電開始閾値と充電終了閾値を読み出すとともに、ステップＳ３１０にて計測した充電池５４の充電残量が当該充電開始閾値と当該充電終了閾値との間の値になっているか否かを判定する。
【００６７】
そして、充電池５４の充電残量が充電開始閾値と充電終了閾値との間の値となっている場合には、ステップＳ３３０にて充電回路１７ｂに充電を行わせる。一方、ステップＳ３２０にて充電残量が所定の閾値に達していると判断された場合には、充電を行うことなくステップＳ３００に戻る。このようにすることにより、ユーザーが充電を終了させるレベルを任意に調整することができる。従って、必要なだけ充電をさせることが可能となる。また、充電を開始させるレベルも設定することができるため、完全放電させるまで充電を開始させないようにすることができる。従って、充電池５４のメモリー効果による弊害を防止することができる。なお、本変形例では充電終了条件を充電残量で指定するようにしたが、充電時間によって充電終了条件を指定するようにしてもよい。なお、充電開始閾値と充電終了閾値とを同じ値に設定することにより、充電スイッチ１７ｄがＯＮである場合にも充電を行わせないように制限することもできる。
【００６８】
（５−４）操作マクロに関する変形例
上述した実施形態において、テレビジョン１０に接続したときにメディアプレーヤー５０が何も再生していない場合に、新着のメディアファイルを再生するようにマイコン１１が操作マクロを出力するようにしたが、上述したリモコン監視処理（図１０）と同様にリモコンの操作に応じてマイコン１１が“新着フォルダ”のメディアファイルを再生するようにマイコン１１が操作マクロを出力するようにしてもよい。この場合、リモコンに新着ファイル再生ボタンを設けておけばよい。さらに、操作マクロをユーザーが編集できるようにしてもよい。上述したリモコン監視処理（図１０）においてはスライドショー＆オーディオボタンの操作に対応する以下の操作コマンドからなる操作マクロが生成される。
［１］Ｍボタン→［２］Ｄボタン→［３］Ｄボタン→
［４］Ｒボタン→［５］Ｐボタン→［６］Ｍボタン
［７］Ｒボタン→［８］Ｐボタン
例えば、この操作マクロをユーザーが編集できるようにしてもよい。
【００６９】
図１８は、スライドショー＆オーディオボタンに対応する操作マクロを編集するＵＩ画面を示している。当該ＵＩ画面は、所定のリモコン操作に応じてマイコン１１が生成したＯＳＤ信号に基づいて液晶パネル１６ａが表示させるものである。当該ＵＩ画面においては、スライドショー＆オーディオボタンによって、スライドさせられる写真ファイルを格納したフォルダと、再生させられる音声メディアファイルを格納したフォルダとを指定するエクスプローラ画面Ｅ１，Ｅ２が表示されている。これらのエクスプローラ画面Ｅ１，Ｅ２は、予めマイコン１１が接続端子１７ｄ（入出力端子５９）を介してメディアプレーヤー５０で実行されているＯ／ＳにＨＤＤ５１ｄのメニュー（フォルダ）構造を問い合わせることにより、表示することができる。このようなエクスプローラ画面Ｅ１，Ｅ２にてユーザーが、スライド・再生させたいフォルダを指定し、決定する。
【００７０】
なお、エクスプローラ画面Ｅ１，Ｅ２で指定されたフォルダを指定フォルダＦ１，Ｆ２と表すものとする。指定フォルダＦ１，Ｆ２が決定されると、図７に示したメインメニューの最上部“オーディオフォルダ”から指定フォルダＦ１，Ｆ２へ移動するのに必要な操作が算出され、操作マクロが設定される。例えば、指定フォルダＦ１が写真フォルダの下層の最上部にある“お気に入りフォルダ”よりも２個下の位置にある“旅行フォルダ”である場合には、下記の［１］〜［７］の操作マクロが設定される。
［１］Ｍボタン→［２］Ｄボタン→［３］Ｄボタン→
［４］Ｒボタン→［５］Ｄボタン→［６］Ｄボタン→
［７］Ｐボタン
例えば、指定フォルダＦ２が“オーディオフォルダ”の下層の最上部にある“お気に入りフォルダ”よりも１個下の位置にある“ドライブ用フォルダ”である場合には、上記の［１］〜［７］に続く［８］〜［１１］の操作コマンドが追加された下記の操作マクロが設定される。
【００７１】
［１］Ｍボタン→［２］Ｄボタン→［３］Ｄボタン→
［４］Ｒボタン→［５］Ｄボタン→［６］Ｄボタン→
［７］Ｐボタン→
［８］Ｍボタン→［９］Ｒボタン→［１０］Ｄボタン→
［１１］Ｐボタン
以上の操作マクロはＲＯＭ１１ｃに記憶される。そして、スライドショー＆オーディオボタンが操作されると、ステップＳ５１０においてマイコン１１が当該データを読み出してメディアプレーヤー５０にＣＰＵ５１ａに送信する。出力する。これにより、ユーザーが指定した指定フォルダＦ１，Ｆ２の写真ファイルとメディアファイルをスライド・再生させることができる。
【００７２】
以上においては、操作マクロの一部を編集することにより、ユーザーがスライド・再生させるフォルダを指定できるようにしたが、テレビジョン１０のマイコン１１がユーザーによって任意に設定された操作マクロをＲＯＭ１１ｃに記憶し、リモコン等の操作によって実行するようにすることもできる。例えば、テレビジョン１０のリモコンに操作マクロ登録処理の開始ボタンと終了ボタン、および、登録操作マクロの実行ボタンを設けておく。そして、操作マクロ登録処理の開始が指示されてから終了が指示されるまでの期間において、マイコン１１は、メディアプレーヤー５０のＣＰＵ５１ａと通信を行い、当該ＣＰＵ５１ａが操作パネル５７から受け付けた操作コマンドをマイコン１１が取得する。そして、マイコン１１が取得した操作コマンドをひとまとめにして、操作マクロとしてＲＯＭ１１ｃに格納しておく。そして、ユーザーが登録操作マクロの実行ボタンの操作によってテレビジョン１０のマイコン１１に対して登録マクロの実行を指示することにより、当該操作マクロを実行できるようにする。
【００７３】
例えば、下記の［１］〜［９］の操作コマンドからなる操作マクロも予め登録しておくことにより、容易に実行させることができる。
［１］Ｍボタン→［２］Ｄボタン→［３］Ｄボタン→
［４］Ｄボタン→［５］Ｄボタン→［６］Ｒボタン→
［７］Ｒボタン→［８］Ｄボタン→［９］Ｐボタン
以上の操作マクロによれば、順次操作メニューを移動し、最終的にはリセットを実行させることができる。図７に示すツリー状の操作メニューを採用したメディアプレーヤー５０においては、目的のリセット操作に辿り着くまで多くのフォルダ移動操作が必要とされるが、複数の任意の操作をまとめて操作マクロとして実行させることができるため、容易にリセットを実行させることができる。
【００７４】
（５−４）接続に関する変形例
さらに、テレビジョン１０とメディアプレーヤー５０が接続するときのメディアプレーヤー５０の位置は、図２に示した位置に限定されるものではない。すなわち、充電等が可能な程度に安定してメディアプレーヤー５０を保持し、電気的に接続することができればよく、他の位置に接続端子１７ｄを設けるようにしてもよい。例えば、図１９に示すように支柱２４ｂにおける液晶パネル１６ａの下端よりも低い位置に前方から後方に凹む凹部２４ｃを設け、当該凹部２４ｃに対して前方から後方に向かってメディアプレーヤー５０の下端を挿し込む。この場合、メディアプレーヤー５０を略水平に保持することができる。さらに、図２０に示すように液晶パネル１６ａの枠部の上面に下方に凹む凹部２４ｃを設け、当該凹部２４ｃに対してメディアプレーヤー５０を略鉛直に挿し込むようにしてもよい。
【００７５】
なお、本発明は前記実施例に限られるものでないことは言うまでもない。当業者であれば言うまでもないことであるが、
・前記実施例の中で開示した相互に置換可能な部材および構成等を適宜その組み合わせを変更して適用すること
・前記実施例の中で開示されていないが、公知技術であって前記実施例の中で開示した部材および構成等と相互に置換可能な部材および構成等を適宜置換し、またその組み合わせを変更して適用すること
・前記実施例の中で開示されていないが、公知技術等に基づいて当業者が前記実施例の中で開示した部材および構成等の代用として想定し得る部材および構成等と適宜置換し、またその組み合わせを変更して適用すること
は本発明の一実施例として開示されるものである。
【図面の簡単な説明】
【００７６】
【図１】メディアプレーヤー接続機能付きテレビジョンのブロック構成図である。
【図２】テレビジョンの外観斜視図である。
【図３】メディアプレーヤーのブロック構成図である。
【図４】メディアプレーヤー接続時の接続処理の流れを示すフローチャートである。
【図５】チャンネルマップを示す図である。
【図６】ダミー映像を示す図である。
【図７】操作パネルと階層状の操作メニューを示す図である。
【図８】充電監視処理の流れを示すフローチャートである。
【図９】再生状態監視処理の流れを示すフローチャートである。
【図１０】リモコン操作監視処理の流れを示すフローチャートである。
【図１１】メディアプレーヤーを取り外す処理のフローチャートである。
【図１２】チャンネルアップダウン操作を行った場合の様子の説明図である。
【図１３】変形例にかかる接続処理の流れを示すフローチャートである。
【図１４】変形例にかかるダミー映像を示す図である。
【図１５】変形例にかかる充電設定処理の流れを示すフローチャートである。
【図１６】充電設定用ＵＩ画面を示す図である。
【図１７】変形例にかかる充電監視処理の流れを示すフローチャートである。
【図１８】変形例にかかるＵＩ画面である。
【図１９】変形例にかかるテレビジョンの外観斜視図である。
【図２０】変形例にかかるテレビジョンの外観斜視図である。
【符号の説明】
【００７７】
１０…テレビジョン，１１…マイコン，１１ａ…ＣＰＵ，１１ｂ…ＲＡＭ，１１ｃ…ＲＯＭ，１２…チューナ，１２ａ…アンテナ端子，１３…映像処理回路，１４…音声処理回路，１６…液晶モジュール，１６ａ…液晶パネル，１６ｂ…バックライト，１６ｃ…駆動回路，１６ｄ…インバータ回路，１７…ドッキングユニット，１７ａ…信号調整回路，１７ｂ…充電回路，１７ｃ…充電スイッチ，１７ｄ…接続端子，１８…リモコン受光部，１９…バス，２０…スピーカ，２１…電源回路，２２…スイッチ回路，２３…外部入力端子，２４…脚部，２４ａ…ベース部，２４ｂ…支柱，５０…メディアプレーヤー，５１ａ…ＣＰＵ，５１ｂ…ＲＡＭ，５１ｃ…ＲＯＭ，５１ｄ…ＨＤＤ，５２…ビデオデコーダ，５３…液晶ディスプレイ，５４…充電池，５５…音声出力部，５６…バス，５７…操作パネル，５８…画像出力回路，５９…入出力端子
【図１】
0005316741.tif 000002
【図２】
0005316741.tif 000003
【図３】
0005316741.tif 000004
【図４】
0005316741.tif 000005
【図５】
0005316741.tif 000006
【図６】
0005316741.tif 000007
【図７】
0005316741.tif 000008
【図８】
0005316741.tif 000009
【図９】
0005316741.tif 000010
【図１０】
0005316741.tif 000011
【図１１】
0005316741.tif 000012
【図１２】
0005316741.tif 000013
【図１３】
0005316741.tif 000014
【図１４】
0005316741.tif 000015
【図１５】
0005316741.tif 000016
【図１６】
0005316741.tif 000017
【図１７】
0005316741.tif 000018
【図１８】
0005316741.tif 000019
【図１９】
0005316741.tif 000020
【図２０】
0005316741.tif 000021